(57)【要約】【目的】４８０Ｐや１０８０Ｉなどの映像信号を入力する場合でもその高画質を享受しつつ字幕文字出力が行えるキャプションデコーダ装置を提供する。【構成】キャプション信号が重畳されるコンポジット映像信号が入力される第１映像入力部１と、キャプション信号は重畳されないが高画質である映像信号（４８０Ｐコンポーネント等）の入力にも対応している第２映像入力部２と、前記第１映像入力部１から入力された映像信号にてキャプション信号を検出して文字信号を生成するＣＰＵ（デコード部）４手段と、前記文字信号と前記第２映像入力部２から入力された４８０Ｐ等映像信号とにより出力映像信号を生成するビデオ処理回路５とを備えた。【選択図】　　　　　　　　図１
2004129068.tif 000002
【特許請求の範囲】
【請求項１】
キャプション信号が重畳される形式の映像信号が入力される第１映像入力部と、キャプション信号は重畳されないが高画質である映像信号の入力にも対応している第２映像入力部と、前記第１映像入力部から入力された映像信号にてキャプション信号を検出して文字信号を生成するデコード手段と、前記文字信号と前記第２映像入力部から入力された映像信号とにより出力映像信号を生成する映像信号処理部と、を備えたことを特徴とするキャプションデコーダ内蔵装置。
【請求項２】
請求項１に記載のキャプションデコーダ内蔵装置において、第１映像入力部はコンポジット信号用に構成され、第２映像入力部はコンポーネント信号用に構成されたことを特徴とするキャプションデコーダ内蔵装置。
【請求項３】
請求項２に記載のキャプションデコーダ内蔵装置において、第２映像入力部に入力された映像信号の形式を判定する判定手段を備え、第１映像入力部は第２映像入力部経由の映像信号を前記デコード手段に供給する切替手段を備え、第２映像入力部に入力された映像信号の形式が４８０Ｉのときには当該４８０Ｉ映像信号からキャプション信号を検出して文字信号を生成するように構成されたことを特徴とするキャプションデコーダ内蔵装置。
【請求項４】
請求項３に記載のキャプションデコーダ内蔵装置において、第２映像入力部に入力された４８０Ｉの映像信号をプログレッシブ映像信号に変換するＩ／Ｐ変換部を備えたことを特徴とするキャプションデコーダ内蔵装置。
【発明の詳細な説明】
【０００１】
【産業上の利用分野】
この発明は、キャプションデコーダ内蔵装置に関し、例えば、テレビジョン受信装置として利用される。
【０００２】
【従来の技術】
従来より、ビデオテープレコーダの記録映像信号にキャプション信号を重畳しておくことで、当該ビデオテープレコーダを再生し、キャプションデコーダを通すことにより、映像と共に字幕文字を画面に出力できるようになっている。勿論、テレビ放送における文字放送システムとして、放送局側で映像信号にキャプション信号を重畳して放送し、受信機においてキャプションデコーダを備えておくことにより、映像と共に字幕文字を画面出力できる。キャプション信号が重畳される形式の映像信号としては、例えば、ＮＴＳＣ方式のコンポジット映像信号を挙げることができる（特許文献１参照）。
【０００３】
【特許文献１】
特開平１０−９８６５７号公報
【０００４】
【発明が解決しようとする課題】
【０００５】
ところで、近年においては、ディジタル放送の受信映像出力やＤＶＤプレーヤ等の映像出力においては、４８０Ｐ（プログレッシブ）や１０８０Ｉ（インターレース）といった高解像度対応の形式が採用されるようになっている。しかしながら、前述したキャプションデコーダは４８０Ｉに対応するものであり、その２倍のフィールド周波数となる４８０Ｐ等の信号に対してはデコード処理が行えるようにはなっていない。従って、従来においては、４８０Ｐ等の高画質映像を視聴する場合、字幕文字出力が行えないという不都合があった。
【０００６】
この発明は、上記の事情に鑑み、４８０Ｐや１０８０Ｉなどの映像信号により画面出力する場合でもその高画質を享受しつつ字幕文字出力が行えるキャプションデコーダ内蔵装置を提供することを目的とする。
【０００７】
【課題を解決するための手段】
この発明のキャプションデコーダ内蔵装置は、上記の課題を解決するために、キャプション信号が重畳される形式の映像信号が入力される第１映像入力部と、キャプション信号は重畳されないが高画質である映像信号の入力にも対応している第２映像入力部と、前記第１映像入力部から入力された映像信号にてキャプション信号を検出して文字信号を生成するデコード手段と、前記文字信号と前記第２映像入力部から入力された映像信号とにより出力映像信号を生成する映像信号処理部と、を備えたことを特徴とする。
【０００８】
上記の構成であれば、高画質映像出力において本来的には不要とされるところの第１映像入力部の入力映像信号を活用して文字信号を生成し、この文字信号を第２映像入力部からの高画質映像信号に組み入れることで、高画質を享受しつつ字幕文字出力が行えることになる。
【０００９】
第１映像入力部はコンポジット信号用に構成され、第２映像入力部はコンポーネント信号用に構成されていてもよい。この構成において、第２映像入力部に入力された映像信号の形式を判定する判定手段を備え、第１映像入力部は第２映像入力部経由の映像信号を前記デコード手段に供給する切替手段を備え、第２映像入力部に入力された映像信号の形式が４８０Ｉのときには当該４８０Ｉ映像信号からキャプション信号を検出して文字信号を生成するのがよい。また、第２映像入力部に入力された４８０Ｉの映像信号をプログレッシブ映像信号に変換するＩ／Ｐ変換部を備えるのがよい。
【００１０】
【発明の実施の形態】
以下、この発明の実施形態のキャプションデコーダ内蔵装置を図１及び図２に基づいて説明するが、ここではキャプションデコーダ内蔵装置としてテレビジョン受信装置を例示している。
【００１１】
図１に示すように、当該テレビジョン受信装置１０には、外部機器（ＤＶＤプレーヤー，ＳＴＢ等）２０が接続される。外部機器２０は、高画質映像の供給のために例えばＤ端子を備えているが、伝統的なテレビジョン受信装置の存在を考慮して、例えばＮＴＳＣコンポジット映像信号を出力するＡＶ端子を備える。テレビジョン受信装置１０と外部機器２０とは、Ｄ端子及びＡＶ端子の両方において信号ケーブル接続しておく。なお、外部機器２０はＮＴＳＣコンポジット映像信号においてキャプション信号を重畳して出力するようになっている。
【００１２】
テレビジョン受信装置１０の第１映像入力部１には、前記ＡＶ端子を介して例えばＮＴＳＣコンポジット映像信号が入力されることになる。第２映像入力部２には、例えば４８０Ｐや１０８０Ｉのコンポーネント映像信号が入力されることになる。また、第２映像入力部２は、内蔵チューナ８からＹ／Ｃ分離映像信号を入力し、出力切替信号を受けて外部機器映像とチューナ出力映像のどちらかを出力するようになっている。
【００１３】
倍速判定回路３は第２映像入力部２の出力映像をビデオ処理回路５に出力すると共にその信号形式を判定する。具体的には、映像信号が、４８０Ｉ，４８０Ｐ，７２０Ｐ，１０８０Ｉのどれであるかを判定する。判定結果はＣＰＵ４及びビデオ処理回路５に与えられる。
【００１４】
また、第２映像入力部２から出力される映像信号は、第１映像入力部１とＩ／Ｐ変換回路７とに供給される。Ｉ／Ｐ変換回路７は第２映像入力部２が出力した映像信号が４８０Ｉであるとき、４８０Ｐ等に変換してビデオ処理回路５に供給するようになっている。
【００１５】
第１映像入力部１は、前述した外部機器２０からのＮＴＳＣコンポジット映像信号と前記第２映像入力部２から供給されるコンポーネント映像信号のいずれかを選択して出力する。具体的には、第２映像入力部２から出力される映像信号が４８０Ｉであるとき、これを選択してＣＰＵ４に供給する。この選択のための切替制御信号はＣＰＵ４から与えられる。ＣＰＵ４は倍速判定回路３からの判定結果に基づいて切替制御信号を出力する。
【００１６】
ＣＰＵ４はキャプションデコーダとして機能する。すなわち、映像信号の所定の走査線において重畳されているキャプション信号をデコードして文字（ビットマップデータ）やその表示位置情報を生成すると共に、同期信号を基準に前記表示位置を勘案して信号を載せたＯＳＤ（オンスクリーンディスプレイ）映像信号をビデオ処理回路５に供給する。ここで、ＣＰＵ４はビデオ処理回路５から２倍速系の水平・垂直同期信号を得ており、この同期信号に基づいてＯＳＤ映像信号を生成して出力している。
【００１７】
ビデオ処理回路５は、第２映像入力部２から入力されたコンポーネント映像信号（４８０Ｉはプログレッシブ変換されたもの）を入力し、この映像信号にＯＳＤ映像信号を組み込んで出力する。また、ビデオ処理回路５において色補正等の各種映像処理が行われる。
【００１８】
ＲＧＢドライバ６は、ビデオ処理回路５から供給された映像信号に基づいて例えばＣＲＴ９を駆動する。
【００１９】
図２はテレビジョン受信装置１０における処理内容を示したフローチャートである。外部機器２０からのコンポーネント信号を第２映像入力部２を介して受け取り（ステップＳ１）、当該映像信号が４８０Ｉかどうかを判断する（ステップＳ２）。４８０Ｉであれば、第１映像入力部１は第２映像入力部２からの映像を選択してＣＰＵ４に与える（ステップＳ３）。すなわち、第２映像入力部２からの４８０Ｉ映像でキャプションデコードを行う。一方、４８０ＩでなければＣＰＵ４は判定情報に基づき、第１映像入力部１に対してＡＶ端子からのコンポジット映像信号をＣＰＵ４（デコーダ）へ出力するよう切替制御指令を与える（ステップＳ４）。このとき、外部機器２０とテレビジョン受信装置１０とが想定通りにＡＶコードによって接続されていれば、ＣＰＵ４へはキャプション信号が重畳されたコンポジット映像信号が供給されることになる。ＣＰＵ４は２倍速系の水平・垂直同期信号を得ており、この同期信号に基づいて、ＯＳＤ映像信号をプログレッシブ対応の信号に対応させて出力する（ステップＳ５）。そして、ビデオ処理回路５は、４８０Ｐ等のコンポーネント映像信号にＣＰＵ４からのＯＳＤ映像信号を組み入れて出力する（ステップＳ６）。
【００２０】
第１映像入力部１は、前述したごとく、例えばＡＶ端子を介してＮＴＳＣコンポジット映像信号が入力されるものであり、４８０Ｐや１０８０Ｉ等の高画質対応の当該テレビジョン受信装置１０においては特に必要のないものである。そして、外部機器２０との接続においては、例えばＤ端子によって第２映像入力部２との接続のみを行えば足りるものであり、ＡＶ端子によって第１映像入力部１と外部機器２０とをわざわざ接続する必要はないものである。この発明においては、本来的には不要とされるところの第１映像入力部１を有してその入力映像信号を活用して文字信号を生成することとしており、この文字信号を第２映像入力部２の高画質である映像信号に組み入れることで、高画質を享受しつつ字幕文字出力が行えることになる。
【００２１】
【発明の効果】
以上説明したように、この発明によれば、４８０Ｐや１０８０Ｉなどの映像信号により画面出力する場合でもその高画質を享受しつつ字幕文字出力が行えるという効果を奏する。
【図面の簡単な説明】
【図１】この発明の実施形態のテレビジョン受信装置と外部機器との接続システムを示したブロック図である。
【図２】処理内容を示したフローチャートである。
【符号の説明】
１　　第１映像入力部
２　　第２映像入力部
３　　倍速判定回路
４　　ＣＰＵ（キャプションデコーダ）
５　　ビデオ処理回路
７　　チューナ
１０　テレビジョン受信装置（キャプションデコーダ内蔵装置）
１１　外部機器
【図１】
2004129068.tif 000003
【図２】
2004129068.tif 000004